(57)【特許請求の範囲】
【請求項１】
筐体と、前記筐体内に設置される圧縮機と、前記筐体の背面に沿って立設される熱交換器と、前記筐体の底面板上に立設して前記圧縮機の側方に配されるアングルと、前記熱交換器に対向して前記アングルに固定される送風機と、前記筐体の前面板と前記熱交換器の上端との間に橋架して前記アングルの上面に固定される支持板と、前記圧縮機及び前記送風機に接続される回路基板を収納して前記圧縮機の上方に配される電装収納部と、前記電装収納部の上面を塞ぐ蓋部とを備え、前記電装収納部と前記蓋部と前記支持板とを一体にネジ止めし、前記底面板、前記アングル、前記支持板及び前記蓋部を金属により形成して前記蓋部がアースされることを特徴とする空気調和機の室外機。
【請求項２】
前記電装収納部、前記蓋部及び前記支持板が前記アングルに設けたネジ孔にネジ止めされることを特徴とする請求項１に記載の空気調和機の室外機。
【請求項３】
前記電装収納部が前記支持板の反対側で前記筐体の側面板にネジ止めされることを特徴とする請求項１又は請求項２に記載の空気調和機の室外機。
【請求項４】
前記電装収納部が周壁の上端に沿って形成される溝部を有するとともに、前記蓋部が周縁から下方に突出する嵌合壁を有し、前記溝部に前記嵌合壁が嵌合して前記蓋部を閉じた際に前記溝部の底面と前記嵌合壁の下端との間に隙間が形成されることを特徴とする請求項１〜請求項３のいずれかに記載の空気調和機の室外機。
【請求項５】
前記電装収納部に対して前記蓋部を前後方向及び左右方向に位置決めする第１位置決め部と、前記支持板に対して前記電装収納部を前後方向に位置決めする第２位置決め部と、前記支持板に対して前記電装収納部を左右方向に位置決めする第３位置決め部とを備えたことを特徴とする請求項１〜請求項３のいずれかに記載の空気調和機の室外機。
【請求項６】
第１位置決め部が前記電装収納部の周壁の上面に沿って形成される環状の溝部と、前記蓋部の周縁から下方に突出して前記溝部に嵌合する嵌合壁とから成るとともに、前記溝部の外壁上に形成した切欠き部と、前記切欠き部の下方から突出する第１突出片と、前記嵌合壁から突出して第１突出片上に配される第２突出片とを備え、第１突出片及び第２突出片にネジ止め用の挿通穴が設けられることを特徴とする請求項５に記載の空気調和機の室外機。
【請求項７】
筐体と、前記筐体内に設置される圧縮機と、前記筐体の背面に沿って立設される熱交換器と、前記筐体の底面板上に立設して前記圧縮機の側方に配されるアングルと、前記熱交換器に対向して前記アングルに固定される送風機と、前記筐体の前面板と前記熱交換器の上端との間に橋架して前記アングルの上面に固定される支持板と、前記圧縮機及び前記送風機に接続される回路基板を収納して前記圧縮機の上方に配される電装収納部と、前記電装収納部の上面を塞ぐ蓋部とを備え、前記電装収納部と前記蓋部と前記支持板とを一体にネジ止めし、
前記電装収納部に対して前記蓋部を前後方向及び左右方向に位置決めする第１位置決め部と、前記支持板に対して前記電装収納部を前後方向に位置決めする第２位置決め部と、前記支持板に対して前記電装収納部を左右方向に位置決めする第３位置決め部とを備え、
第１位置決め部が前記電装収納部の周壁の上面に沿って形成される環状の溝部と、前記蓋部の周縁から下方に突出して前記溝部に嵌合する嵌合壁とから成るとともに、前記溝部の外壁上に形成した切欠き部と、前記切欠き部の下方から突出する第１突出片と、前記嵌合壁から突出して第１突出片上に配される第２突出片とを備え、第１突出片及び第２突出片にネジ止め用の挿通穴が設けられることを特徴とする空気調和機の室外機。
【請求項８】
第２位置決め部が前記支持板の周縁に開放端を有するスリットと、前記電装収納部の周壁から突出して前記スリットに嵌合する突出部とから成ることを特徴とする請求項５〜請求項７のいずれかに記載の空気調和機の室外機。
【請求項９】
第３位置決め部が前記電装収納部の周壁から突出して下方に屈曲する係止片と、前記支持板に設けられるとともに前記係止片と係止する係合部とから成ることを特徴とする請求項５〜請求項８のいずれかに記載の空気調和機の室外機。
【請求項１０】
前記支持板と前記電装収納部とが緩衝材を介してネジ止めされることを特徴とする請求項１〜請求項９のいずれかに記載の空気調和機の室外機。
【請求項１１】
筐体と、前記筐体内に設置される圧縮機と、前記筐体の背面に沿って立設される熱交換器と、前記筐体の底面板上に立設した金属板から成るアングルと、前記熱交換器に対向して前記アングルに固定される送風機と、前記筐体の前面板と前記熱交換器の上端との間に橋架して前記アングルの上面に固定される支持板とを備え、前記アングルが上下方向に延びる立設部と、前記立設部の両側端から前後方向に屈曲する側壁部と、前記立設部の上端から前後方向に屈曲して前記支持板が固定される上壁部とを有し、前記立設部の上端部及び下端部が蛇行によって前記送風機を固定した中央部に対して前後方向にずれて配され、前記支持板が前記立設部の前後幅内で前記上壁部にネジ止めされることを特徴とする空気調和機の室外機。
【請求項１２】
前記立設部の前記上端部及び前記下端部が前記中央部に対して後方に配されるとともに、前記立設部から前記側壁部が後方に屈曲して前記上壁部が前方に屈曲し、前記送風機が前記中央部の前面に固定されることを特徴とする請求項１１に記載の空気調和機の室外機。
【請求項１３】
前記圧縮機及び前記送風機に接続される回路基板を収納する電装収納部と、前記電装収納部の上面を塞ぐ蓋部とを備え、前記電装収納部、前記蓋部及び前記支持板が前記アングルに設けたネジ孔にネジ止めされることを特徴とする請求項１１または請求項１２に記載の空気調和機の室外機。
【発明の詳細な説明】
【技術分野】
【０００１】
本発明は空気調和機の室外機に関する。
【背景技術】
【０００２】
従来の空気調和機の室外機が特許文献１に開示されている。この室外機は圧縮機と熱交換器と送風機とを筐体内に内蔵する。送風機は筐体の底面板上に立設するアングルに固定される。また、圧縮機及び送風機は回路基板に電気接続され、回路基板を収納する電装収納部が筐体の上部に配されている。電装収納部の上面は蓋部が嵌合して塞がれている。
【０００３】
アングルは金属板により形成され、筐体の底面上に立設される立設部を有している。立設部は蛇行によって上端部及び下端部が中央部に対して後方にずれて配され、中央部の前面に設置される送風機の羽根との干渉が回避される。また、アングルには立設部の上端から後方に屈曲して筐体に支持される上壁部と、立設部の両側端から前方に屈曲する側壁部とが設けられる。上壁部が筐体に支持されるためアングルの揺動が防止される。また、側壁部によってアングルが補強される。
【先行技術文献】
【特許文献】
【０００４】
【特許文献１】特開２００１−１７３９９８号公報
【発明の概要】
【発明が解決しようとする課題】
【０００５】
上記従来の室外機によると、送風機の駆動によって発生するアングルの振動が支持板及び電装収納部を介して蓋部に伝導し、蓋部が振動して振動音が発生する問題があった。また、振動音の発生を防ぐために蓋部をネジ止めすると、組立工数が増加する問題があった。
【０００６】
また、室外機の輸送時や保管時に複数の室外機を積載した際に筐体を介して上壁部に上下方向の荷重がかかり、アングルが変形する問題があった。
【０００７】
本発明は上記問題点に鑑み、組立工数を削減しながら、蓋部の振動音を防止することができる空気調和機の室外機を提供することを目的とする。
【０００８】
また本発明は、上下方向の荷重が掛かった場合でもアングルの変形を防止できる空気調和機の室外機を提供することを目的とする。
【課題を解決するための手段】
【０００９】
上記目的を達成するために本発明は、筐体と、前記筐体内に設置される圧縮機と、前記筐体の背面に沿って立設される熱交換器と、前記筐体の底面板上に立設して前記圧縮機の側方に配されるアングルと、前記熱交換器に対向して前記アングルに固定される送風機と、前記筐体の前面板と前記熱交換器の上端との間に橋架して前記アングルの上面に固定される支持板と、前記圧縮機及び前記送風機に接続される回路基板を収納して前記圧縮機の上方に配される電装収納部と、前記電装収納部の上面を塞ぐ蓋部とを備え、前記電装収納部と前記蓋部と前記支持板とを一体にネジ止めしたことを特徴としている。
【００１０】
この構成によると、筺体に固定される支持板と電装収納部と蓋部とが一体にネジ止めされ、蓋部の振動音の発生が防止される。
【００１１】
また、本発明は上記構成の空気調和機の室外機において、前記底面板、前記アングル、前記支持板及び前記蓋部を金属により形成して前記蓋部がアースされることを特徴としている。
【００１２】
また、本発明は上記構成の空気調和機の室外機において、前記電装収納部、前記蓋部及び前記支持板が前記アングルに設けたネジ孔にネジ止めされることを特徴としている。
【００１３】
また、本発明は上記構成の空気調和機の室外機において、前記電装収納部が前記支持板の反対側で前記筐体の側面板にネジ止めされることを特徴としている。
【００１４】
また、本発明は上記構成の空気調和機の室外機において、前記電装収納部が周壁の上端に沿って形成される溝部を有するとともに、前記蓋部が周縁から下方に突出する嵌合壁を有し、前記溝部に前記嵌合壁が嵌合して前記蓋部を閉じた際に前記溝部の底面と前記嵌合壁の下端との間に隙間が形成されることを特徴としている。
【００１５】
また、本発明は上記構成の空気調和機の室外機において、前記電装収納部に対して前記蓋部を前後方向及び左右方向に位置決めする第１位置決め部と、前記支持板に対して前記電装収納部を前後方向に位置決めする第２位置決め部と、前記支持板に対して前記電装収納部を左右方向に位置決めする第３位置決め部とを備えたことを特徴としている。
【００１６】
また、本発明は上記構成の空気調和機の室外機において、第１位置決め部が前記電装収納部の周壁の上面に沿って形成される環状の溝部と、前記蓋部の周縁から下方に突出して前記溝部に嵌合する嵌合壁とから成るとともに、前記溝部の外壁上に形成した切欠き部と、前記切欠き部の下方から突出する第１突出片と、前記嵌合壁から突出して第１突出片上に配される第２突出片と備え、第１突出片及び第２突出片にネジ止め用の挿通穴が設けられることを特徴としている。
【００１７】
また、本発明は上記構成の空気調和機の室外機において、第２位置決め部が前記支持板の周縁に開放端を有するスリットと、前記電装収納部の周壁から突出して前記スリットに嵌合する突出部とから成ることを特徴としている。
【００１８】
また、本発明は上記構成の空気調和機の室外機において、第３位置決め部が前記電装収納部の周壁から突出して下方に屈曲する係止片と、前記支持板に設けられるとともに前記係止片と係止する係合部とから成ることを特徴としている。
【００１９】
また、本発明は上記構成の空気調和機の室外機において、前記支持板と前記電装収納部とが緩衝材を介してネジ止めされることを特徴としている。
【００２０】
また、上記目的を達成するために本発明は、筐体と、前記筐体内に設置される圧縮機と、前記筐体の背面に沿って立設される熱交換器と、前記筐体の底面板上に立設した金属板から成るアングルと、前記熱交換器に対向して前記アングルに固定される送風機と、前記筐体の前面板と前記熱交換器の上端との間に橋架して前記アングルの上面に固定される支持板とを備え、前記アングルが上下方向に延びる立設部と、前記立設部の両側端から前後方向に屈曲する側壁部と、前記立設部の上端から前後方向に屈曲して前記支持板が固定される上壁部とを有し、前記立設部の上端部及び下端部が蛇行によって前記送風機を固定した中央部に対して前後方向にずれて配され、前記支持板が前記立設部の前後幅内で前記上壁部にネジ止めされることを特徴としている。
【００２１】
この構成によると、立設部の両側端から前後方向に屈曲する側壁部により、アングルの上下方向の強度が向上する。また、支持板と固定される上壁部のネジ止め位置が立設部の前後幅内に配されており、筺体を介して上壁部に上下方向に荷重がかかった場合でも、アングルが変形し難い。
【００２２】
また、本発明は上記構成の空気調和機の室外機において、前記立設部の前記上端部及び前記下端部が前記中央部に対して後方に配されるとともに、前記立設部から前記側壁部が後方に屈曲して前記上壁部が前方に屈曲し、前記送風機が前記中央部の前面に固定されることを特徴としている。
【００２３】
また、本発明は上記構成の空気調和機の室外機において、前記圧縮機及び前記送風機に接続される回路基板を収納する電装収納部と、前記電装収納部の上面を塞ぐ蓋部とを備え、前記電装収納部、前記蓋部及び前記支持板が前記アングルに設けたネジ孔にネジ止めされることを特徴としている。
【発明の効果】
【００２４】
本発明の空気調和機の室外機によると、筺体に固定される支持板と電装収納部と蓋部とが一体にネジ止めされ、組立工数を削減しながら、蓋部の振動音の発生を防止することができる。
【００２５】
また、本発明の空気調和機の室外機によると、支持板と固定される上壁部のネジ止め位置が立設部の前後幅内に配されており、上壁部に上下方向の荷重がかかった場合でもアングルの変形を防止できる。
【図面の簡単な説明】
【００２６】
【図１】本発明の第１実施形態に係る室外機の分解斜視図。
【図２】本発明の第１実施形態の室外機に係る送風機と電装収納部の取付構造を示す分解解斜視図。
【図３】本発明の第１実施形態の室外機に係る送風機と電装収納部の取付構造を示す分解側面図。
【図４】本発明の第１実施形態の室外機に係る電装収納部と蓋部との取付状態を示す側面断面図。
【図５】本発明の第１実施形態の室外機に係る電装収納部と支持板との取付状態を示す上面図。
【図６】図５中のＡ−Ａ線断面図。
【図７】本発明の第２実施形態の室外機に係る電装収納部と支持板との取付状態を示す側面断面図。
【図８】本発明の第３実施形態の室外機に係る電装収納部と支持板との取付状態を示す側面断面図。
【発明を実施するための形態】
【００２７】
＜第１実施形態＞
以下に本発明の実施形態を図面の参照にて説明する。図１は室外機１０の分解斜視図である。室外機１０は直方体状の筐体１１を備え、筺体１１は上部に上面板１１Ｕが配され、底部に底面板１１Ｄが配されている。また、筺体１１の周面には前方に前面板１１Ｆが配され、後方に背面板１１Ｂが配されている。また、左側方には左側面板１１Ｌが配され、右側方には右側面板１１Ｒが配されている。左側面板１１Ｌ及び右側面板１１Ｒは上面から視てＬ字状に形成され、一部が背面側に屈曲している。
【００２８】
筐体１１の前面板１１Ｆの中央部には排気口１２が開口し、排気口１２には円形のグリル１２ａが取り付けられている。背面板１１Ｂには背面吸気口（不図示）が開口し、左側面板１１Ｌには左側面吸気口１１ＬＳが開口している。また、右側面板１１Ｒは背面側の一部に右側面吸気口１１ＲＳが開口している。左側面吸気口１１ＬＳ及び右側面吸気口１１ＲＳは格子状に形成されている。
【００２９】
筐体１１の内部には背面に沿って熱交換器２４が立設している。熱交換器２４は両端が屈曲して上面から視て略コ字状に形成されている。熱交換器２４は左側面吸気口１１ＬＳ、背面吸気口（不図示）、右側面吸気口１１ＲＳと対向して配される。
【００３０】
筺体１１内部は仕切壁１３が底面板１１Ｄから立設して送風機室１４と圧縮機室１５とに仕切られている。送風機室１４には熱交換器２４の前方に送風機４０が配される。圧縮機室１５には圧縮機４１が配される。
【００３１】
圧縮機４１の上方には送風機室１４と圧縮機室１５とに跨る電装収納部５０が配されている。電装収納部５０には回路基板（不図示）が収納されている。回路基板は送風機４０及び圧縮機４１に電気接続され、室外機１０の運転制御を行う。また、電装収納部５０の上面は開口しており、蓋部６０に覆われて閉蓋されている。なお、電装収納部５０は右側面板１１Ｒにネジ止めされて固定される。
【００３２】
送風機４０を駆動するとその吸引力により外気が左側面吸気口１１ＬＳ、背面吸気口（不図示）、右側面吸気口１１ＲＳを介して送風機室１４内に流入する。送風機室１４に流入した外気は熱交換器２４により熱交換され、送風機室１４を流通して排気口１２から外部に吹出される。
【００３３】
図２、図３は送風機４０と電装収納部５０の取付構造を示す分解斜視図及び分解側面図である。送風機４０は底面板１１Ｄ上に立設されたアングル２０に固定される。アングル２０の上面には金属板から成る支持板３１が挿通孔３１ａに挿通したネジ７０により固定される。支持板３１は後端部に設けた被嵌部３５を熱交換器２４に被嵌して前端を前面板１１Ｆにネジ止めし、熱交換器２４と前面板１１Ｆとの間に橋架される。これにより、アングル２０が支持板３１を介して筐体１１に安定して固定される。したがって、送風機４０の駆動によるアングル２０の揺動を抑えることができる。
【００３４】
また、アングル２０は板金加工により形成され、立設部２１と側壁部２２と上壁部２３とを有する。立設部２１は上下方向に延びて中央部２１ｂの前面に送風機４０が固定される。側壁部２２は立設部２１の両側端から後方に屈曲して形成される。側壁部２２により、アングル２０の上下方向の強度が向上する。また、上壁部２３は立設部２１の上端から前方に屈曲して形成され、支持板３１を固定するためのネジ孔２３ａが設けられている。
【００３５】
また、立設部２１は蛇行して形成され、上端部２１ａ及び下端部２１ｃが中央部２１ｂに対して後方にずれて配される。これにより、中央部２１ｂの前面に配した送風機４０の羽根が上端部２１ａ及び下端部２１ｃと干渉することを回避できる。また、上壁部２３に設けたネジ孔２３ａは蛇行した立設部２１の前後幅Ｄ内に配される。
【００３６】
このため、例えば、室外機１０の輸送時や保管時に複数の室外機１０を積載した際に支持板３１を介して上壁部２３に上下方向の荷重がかかった場合に、立設部２１に加わる曲げモーメントが小さい。また、荷重による上端部２１ａ及び下端部２１ｃの撓み方向が中央部２１ｂの撓み方向と逆方向になる。このため、アングル２０の変形が抑制され、送風機４０の羽根とアングル２０との干渉を防止することができる。
【００３７】
なお、側壁部２２を立設部２１の両側端から前方に屈曲して形成してもよい。また、中央部２１ｂの背面側に送風機４０の羽根を配置し、上端部２１ａ及び下端部２１ｃを中央部２１ｂに対して前方にずれて配してもよい。
【００３８】
樹脂成形品から成る電装収納部５０の周壁５２の上面には環状の溝部５３が形成されている。また、電装収納部５０の溝部５３の外壁５２ａには切欠き部５５が設けられている。また、外壁５２には切欠き部５５の下方からアングル２０側に突出する第１突出片５５ｂが設けられている。第１突出片５５ｂには挿通孔５５ａが設けられ、第１突出片５５ｂは支持板３１に上方から重なる。
【００３９】
金属板から成る蓋部６０は周縁から下方に突出する嵌合壁６３を有している。嵌合壁６３にはアングル２０側に突出して第１突出片５５ｂに上方から重なる第２突出片６５が形成されている。第２突出片６５には挿通孔６５ａが設けられている。
【００４０】
蓋部６０、電装収納部５０、支持板３１及びアングル２０は挿通孔６５ａ、５５ａ、３１ａに挿通したネジ７０をネジ孔２３ａに螺合して一体にネジ止めされる。これにより、室外機１０の組立工数を削減することができる。また、蓋部６０及び電装収納部５０がアングル２０に安定して固定され、蓋部６０及び電装収納部５０の振動音の発生を防ぐことができる。
【００４１】
また、底面板１１Ｄ、アングル２０、支持板３１及び蓋部６０は金属により形成されており、蓋部６０はアースされている。これにより、電装収納部５０内の回路基板（不図示）をシールドすることができる。
【００４２】
図４は電装収納部５０と蓋部６０との取付状態を示す側面断面図である。蓋部６０は溝部５３に嵌合壁６３を嵌合させて電装収納部５０を閉蓋する。溝部５３及び嵌合壁６３により、電装収納部５０に対して蓋部６０を前後方向及び左右方向に位置決めする位置決め部（以下、「第１位置決め部」という）が形成される。これにより、挿通孔５５ａ、６５ａを容易に一致させて室外機１０の組立工数を削減することができる。
【００４３】
また、電装収納部５０と蓋部６０を取付けた際に溝部５３の底面と嵌合壁６３の下端との間に隙間Ｓ１が形成される。これにより、隙間Ｓ１で溝部５３に溜まった水が表面張力により嵌合壁６３を伝って上昇するのを防止し、電装収納部５０内に水が浸入するのを防ぐことができる。
【００４４】
図５は電装収納部５０と支持板３１との取付状態を示す上面図であり、図６は図５中のＡ−Ａ断面図である。支持板３１の電装収納部５０側の側辺には周縁に開放端を有するスリット３２と周縁から上方に突出する係止片（係合部）３１ｂとが設けられている。一方、電装収納部５０の周壁５２には支持板３１側に突出する突出部５６と、支持板３１側に突出して下方に屈曲する係止片５４とが設けられている。係止片５４は前後方向に２個並設されている（図２参照）。
【００４５】
電装収納部５０と支持板３１との取り付け時に突出部５６がスリット３２に嵌合し、係止片５４が係止片３１ｂに係合する。このため、スリット３２及び突出部５６により、支持板３１に対して電装収納部５０を前後方向に位置決めする位置決め部（以下、「第２位置決め部」という）が形成される。また、係止片３１ｂ及び係止片５４により、支持板３１に対して電装収納部５０を左右方向に位置決めする位置決め部（以下、「第３位置決め部」という）が形成される。これにより、電装収納部５０と支持板３１との前後方向及び左右方向の位置決めが容易に行われ、ネジ孔２３ａ、挿通孔５５ａ、３１ａを容易に一致させることができる。
【００４６】
なお、支持板３１と電装収納部５０の第１突出片５５ｂ（図３参照）との間にゴム等の緩衝材（不図示）を設けてもよい。これにより、支持板３１及び電装収納部５０を介してアングル２０から蓋部６０に振動が伝導するのをより低減することができる。
【００４７】
本実施形態によると、電装収納部５０と蓋部６０と支持板３１とを一体にネジ止めしたことにより、蓋部６０の振動音の発生が防止される。また、一体にネジ止めすることにより、組み立て工数を削減することができる。
【００４８】
また、底面板１１Ｄ、アングル２０、支持板３１及び蓋部６０を金属により形成して蓋部６０がアースされることにより電装収納部５０内に収納された回路基板（不図示）をシールドすることができる。
【００４９】
また、電装収納部５０、蓋部６０及び支持板３１がアングル２０に設けたネジ孔２３ａにネジ止めされることにより、組み立て工程をより削減することができる。
【００５０】
また、電装収納部５０が支持板３１の反対側で筐体１１の右側面板１１Ｒにネジ止めされることにより、支持板３１を介して電装収納部５０と固定されるアングル２０は左右方向においても筐体１１と固定され、送風機４０の駆動によるアングル２０の振動をより抑えることができる。
【００５１】
また、電装収納部５０が周壁５２の上端に沿って形成される溝部５３を有するとともに、蓋部６０が周縁から下方に突出する嵌合壁６３を有し、溝部５３に嵌合壁６３が嵌合して蓋部６０を閉じた際に溝部５３の底面と嵌合壁６３の下端との間に隙間Ｓ１が形成される。これにより、これにより、隙間Ｓ１で溝部５３に溜まった水が表面張力により嵌合壁６３を伝って上昇するのを防止し、電装収納部５０内に水が浸入するのを防ぐことができる。
【００５２】
また、溝部５３及び嵌合壁６３により、電装収納部５０に対して蓋部６０を前後方向及び左右方向に位置決めする第１位置決め部が形成される。スリット３２及び突出部５６により、支持板３１に対して電装収納部５０を前後方向に位置決めする第２位置決め部が形成される。係止片３１ｂ及び係止片５４により、支持板３１に対して電装収納部５０を左右方向に位置決めする第３位置決め部が形成される。これにより、挿通孔３１ａ、５５ａ、６５ａを容易に一致させることができ、室外機１０の組立工数を削減することができる。
【００５３】
また、電装収納部５０の周壁５２の上面に環状の溝部５３が形成され、蓋部６０の周縁から下方に突出した嵌合壁６３が溝部５３に嵌合するので、第１位置決め部を容易に実現することができる。この時、溝部５３の外壁５２ａ上に形成した切欠き部５５の下方から第１突出片５５ｂが突出し、第２突出片６５が嵌合壁６３から突出して第１突出片５５ｂ上に配される。これにより、第１突出片５５ｂ及び第２突出片６５にそれぞれ設けた挿通孔５５ａ、６５ａが第１位置決め部により重なり、電装収納部５０と蓋部６０とを容易にネジ止めすることができる。
【００５４】
また、スリット３２が支持板３１の周縁に開放端を有し、突出部５６が電装収納部５０の周壁から突出してスリット３２に嵌合するので、第２位置決め部を容易に実現することができる。
【００５５】
また、係止片５４が電装収納部５０の周壁５２から突出して下方に屈曲し、係止片３１ｂ（係合部）が支持板３１の周縁から上方に突出して係止片５４に係合するので、第３位置決め部を容易に実現することができる。
【００５６】
また、支持板３１と電装収納部５０とが緩衝材（不図示）を介してネジ止めされることにより、支持板３１及び電装収納部５０を介してアングル２０から蓋部６０に振動が伝導するのをより低減することができる。
【００５７】
また、アングル２０の立設部２１から前後方向に側壁部２２及び上壁部２３が屈曲し、上端部２１ａ及び下端部２１ｃが中央部２１ｂに対して前後方向にずれて配される。そして、立設部２１の前後幅Ｄ内で支持板３１が上壁部２３にネジ止めされる。これにより、例えば、室外機１０の輸送時や保管時に複数の室外機１０を積載した際に支持板３１を介して上壁部２３に上下方向の荷重がかかった場合に、アングル２０の変形を抑制することができる。また、アングル２０の上壁部２３が筐体１１の前面板１１Ｆと熱交換器２４の上端との間に橋架する支持板３１にネジ止めされており、落下試験時の衝撃によってアングル２０が変形するのを防止することができる
【００５８】
また、アングル２０の立設部２１から後方に側壁部２２が屈曲して前方に上壁部２３が屈曲し、上端部２１ａ及び下端部２１ｃが中央部２１ｂに対して後方にずれて配される。そして、中央部２１ｂの前面に送風機４０が固定される。これにより、送風機４０の羽根とアングル２０との干渉を防止するとともに、側壁部２２が立設部２１の背面側に配されるため室外機１０を前後方向に小型化することができる。
【００５９】
電装収納部５０、蓋部６０及び支持板３１がアングル２０に設けたネジ孔２３ａにネジ止めされることにより、室外機１０の組立工数を削減することができる。
【００６０】
＜第２実施形態＞
図７は第２実施形態に係る電装収納部５０と支持板３１との取付状態を示す側面断面図である。なお、第１実施形態と同一部分は同一符号を付して説明を省略する。第１実施形態に対して第２実施形態は支持板３１の電装収納部５０側の側辺には周縁から上方に突出する係止片３１ｂ（図６参照）が設けられておらず、係止孔（係合部）３７が設けられている。係止孔３７は係止片５４に対応する位置に配され、係止片５４が係止孔３７に挿嵌して係止される。これにより、電装収納部５０と支持板３１とを左右方向に位置決めする第３位置決め部を容易に実現することができる。
【００６１】
＜第３実施形態＞
図８は第３実施形態に係る電装収納部５０と支持板３１との取付状態を示す側面断面図である。なお、第１実施形態と同一部分は同一符号を付して説明を省略する。第１実施形態に対して第３実施形態は前後方向に２個並設された係止片５４の一方（図中で５４ｂで示す）が支持板３４の周縁と側方から当接する。これにより、電装収納部５０と支持板３１とを左右方向に両方向に位置決めする第３位置決め部を容易に実現することができる。
【産業上の利用可能性】
【００６２】
本発明は空気調和機の室外機に利用可能である。
【符号の説明】
【００６３】
１０        室外機
１１        筐体
１１Ｆ      前面板
１１Ｂ      背面板
１１Ｒ      右側面板
１１Ｌ      左側面板
１２        排気口
１２ａ      グリル
１３        仕切壁
１４        送風機室
１５        圧縮機室
２０        アングル
２４        熱交換器
３１        支持板
３１ａ      挿通孔
３１ｂ      係止片
３２        スリット
４０        送風機
４１        圧縮機
５０        電装収納部
５２        周壁
５３        溝部
５４        係止片
５４ａ      屈曲部
５５        切欠き部
５５ｂ      第１突出片
５６        突出部
６０        蓋部
６３        嵌合壁
６５        第２突出片
７０        ネジ
【図１】
0006454126.tif 000002
【図２】
0006454126.tif 000003
【図３】
0006454126.tif 000004
【図４】
0006454126.tif 000005
【図５】
0006454126.tif 000006
【図６】
0006454126.tif 000007
【図７】
0006454126.tif 000008
【図８】
0006454126.tif 000009